(57)【要約】【課題】サイドレールをベッドの側部に簡便に且つ容易に固定することができ、しかも、サイドレールが傾いてしまうことがなく、片手作業が可能なベッド用サイドレールを提供する。【解決手段】本体フレーム２に、下方に延びる筒状の１対の支柱部材３，４が固定され、固定部材５，６は支柱部材３，４に夫々同軸的に遊嵌され、揺動軸７，８の周りに揺動可能に軸支されている。支柱部材３，４を連結する連結部材１０には、１対の第１ピン１１及び第２ピン１２が配設され、第１ピン１１は、固定部材６が当接可能であり、第２ピン１２は、連結部材１０に固定されたナット１３に螺合して連結部材１０の長手方向に往復移動して固定部材５に当接可能である。筒状の１対の支持部１００，１０１に夫々固定部材５，６を嵌入し、第２ピン１２をナット１３にねじ込むことにより固定部材５，６の下端を相反する方向に移動させる。【選択図】図１
2015226718.tif 000002
【特許請求の範囲】
【請求項１】
ベッドの側部に配置されるベッド用サイドレールにおいて、
前記ベッドの長手方向に延びる本体フレームと、
前記本体フレームに固定され、又は一体的に成形され、前記本体フレームから下方に延びる筒状の１対の支柱部材と、
前記支柱部材に夫々同軸的に遊嵌され、前記支柱部材から下方に露出するように、前記本体フレームに垂直かつ前記支柱フレームに垂直の軸の周りに、前記支柱部材に揺動可能に軸支された棒状の１対の固定部材と、
１対の前記支柱部材を、前記支柱部材に対して前記本体フレームの長手方向に移動可能に連結する連結部材と、
前記連結部材における前記固定部材の対向方向の反対側に夫々配置された１対の第１ピン及び第２ピンと、
を有し、
一方の第１ピンは、前記連結部材に固定されていて前記固定部材が当接可能であり、他方の第２ピンは、前記連結部材に固定されたナットに螺合して前記連結部材の長手方向に往復移動して前記固定部材に当接可能であり、
ベッドの側部に設けられた筒状の１対の支持部に夫々前記固定部材を嵌入し、前記第２ピンを前記ナットにねじ込むことにより前記固定部材の下端を相反する方向に移動させて、前記固定部材を前記支持部に摩擦係合させて前記サイドレールを前記支持部に固定することを特徴とするベッド用サイドレール。
【請求項２】
前記本体フレームにおけるベッド長手方向の端部に連結されたアームと、
前記アームと前記本体フレームとを、垂直方向を回転軸として、相対的に回転可能に連結する連結部と、
を有することを特徴とする請求項１に記載のベッド用サイドレール。
【請求項３】
前記連結部は、
前記アームの回転を抑制する第１の位置と前記アームの回転を許容する第２の位置との間で揺動するロック解除レバーと、
前記アームと共に回転するアーム側ロック部材と、
前記アーム側ロック部材を嵌入又は外嵌し、前記本体フレームに固定された本体側ロック部材と、
前記ロック解除レバーの前記第１の位置で、前記アーク側ロック部材と前記本体側ロック部材との相対回転を阻止し、前記ロック解除レバーの前記第２の位置で、前記アーム側ロック部材と前記本体側ロック部材との相対回転を許容するロック機構と、
前記ロック解除レバーの前記第２の位置への揺動を阻止する第１の位置と、前記ロック解除レバーの前記２の位置への揺動を許容する第２の位置との間で移動する安全ロック部材と、
を有することを特徴とする請求項２に記載のベッド用サイドレール。
【請求項４】
前記第１ピンは，前記支柱部材の前記第１ピン側の壁部に設けられた第１孔を挿通しており、
前記第２ピンは、前記支柱部材の前記第２ピン側の壁部に設けられた第２孔を挿通しており、
前記第１ピン及び前記第２ピンが夫々前記第１孔及び前記第２孔を挿通することにより、前記連結部材が前記支柱部材に係止されていることを特徴とする請求項１乃至３のいずれか１項に記載のベッド用サイドレール。
【発明の詳細な説明】
【技術分野】
【０００１】
本発明は、ベッドの側端からベッド上に寝た人が落下することを防止するためのベッド用サイドレールに関し、特に、サイドレール本体と、このサイドレール本体に回転可能に連結されたアームとの間の回動及び固定を容易にしたベッド用サイドレールに関する。
【背景技術】
【０００２】
ベッドの側端には、ベッド上に寝た患者がベッドから落下することを防止し、またベッド上の患者が移乗、離床及び上半身の起立を補助するために、サイドレール（側柵ともいう）が、前記側端に立設されて配置されている。このとき、このサイドレールの長さを長くして安全性を高めると共に、ベッド上から人が離床及び移乗するときの邪魔にならないようにするために、一部を垂直軸のまわりに回転可能にして、上記相反する機能を満足するようにしている。つまり、従来のサイドレールは、本体をベッド側部に固定し、この本体に対して、アームを回転可能に連結することにより、アームを広げた場合のサイドレール全体の長さを十分に長くし、アームを本体に対して回転させることにより、人が離床及び移乗するときの動作を容易にしている。
【０００３】
このサイドレールは、ベッドのフレームの側部に、２個の円筒状の支持部を設け、サイドレールの下部に、下方に延びる１対の支柱を設け、この支柱を支持部に嵌入することにより設置される。このとき、サイドレールが、支持部から抜け出てしまうと、ベッド上の患者は、サイドレールを利用して起き上がったり、また、サイドレールをベッドに対する移譲及び離床の補助として使用したりするため、極めて危険性が高い。このため、サイドレールは、ベッド側部の支持部に確実に固定する必要がある。
【０００４】
従来のサイドレールの固定方法としては、支柱を各支持部に個別にネジ止め固定したり（特許文献１）、２個の支柱間にリンクを設け、リンク機構により、支柱を支持部に固定している（特許文献２）。
【先行技術文献】
【特許文献】
【０００５】
【特許文献１】特許第４５５８９１９号公報
【特許文献２】特開２０１０−２０１０３０号公報
【発明の概要】
【発明が解決しようとする課題】
【０００６】
しかしながら、従来のサイドレールの固定方法は、支柱を支持部に固定するための固定箇所が多いため、固定方法が煩雑であるという問題点がある。又は、片手作業では、固定作業時に、サイドレールが傾いてしまうことが多く、両手で作業する必要性があり、固定方法が簡便ではないという問題点がある。
【０００７】
本発明はかかる問題点に鑑みてなされたものであって、サイドレールをベッドの側部に簡便に且つ容易に固定することができ、しかも、サイドレールが傾いてしまうことがなく、片手作業が可能なベッド用サイドレールを提供することを目的とする。
【課題を解決するための手段】
【０００８】
本発明に係るベッド用サイドレールは、
ベッドの側部に配置されるベッド用サイドレールにおいて、
前記ベッドの長手方向に延びる本体フレームと、
前記本体フレームに固定され、又は一体的に成形され、前記本体フレームから下方に延びる筒状の１対の支柱部材と、
前記支柱部材に夫々同軸的に遊嵌され、前記支柱部材から下方に露出するように、前記本体フレームに垂直かつ前記支柱フレームに垂直の軸の周りに、前記支柱部材に揺動可能に軸支された棒状の１対の固定部材と、
１対の前記支柱部材を、前記支柱部材に対して前記本体フレームの長手方向に移動可能に連結する連結部材と、
前記連結部材における前記固定部材の対向方向の反対側に夫々配置された１対の第１ピン及び第２ピンと、
を有し、
一方の第１ピンは、前記連結部材に固定されていて前記固定部材が当接可能であり、他方の第２ピンは、前記連結部材に固定されたナットに螺合して前記連結部材の長手方向に往復移動して前記固定部材に当接可能であり、
ベッドの側部に設けられた筒状の１対の支持部に夫々前記固定部材を嵌入し、前記第２ピンを前記ナットにねじ込むことにより前記固定部材の下端を相反する方向に移動させて、前記固定部材を前記支持部に摩擦係合させて前記サイドレールを前記支持部に固定することを特徴とする。
【０００９】
本発明においては、例えば、
前記本体フレームにおけるベッド長手方向の端部に連結されたアームと、
前記アームと前記本体フレームとを、垂直方向を回転軸として、相対的に回転可能に連結する連結部と、
を有する。
【００１０】
また、本発明においては、例えば、
前記連結部は、
前記アームの回転を抑制する第１の位置と前記アームの回転を許容する第２の位置との間で揺動するロック解除レバーと、
前記アームと共に回転するアーム側ロック部材と、
前記アーム側ロック部材を嵌入又は外嵌し、前記本体フレームに固定された本体側ロック部材と、
前記ロック解除レバーの前記第１の位置で、前記アーク側ロック部材と前記本体側ロック部材との相対回転を阻止し、前記ロック解除レバーの前記第２の位置で、前記アーム側ロック部材と前記本体側ロック部材との相対回転を許容するロック機構と、
前記ロック解除レバーの前記第２の位置への揺動を阻止する第１の位置と、前記ロック解除レバーの前記２の位置への揺動を許容する第２の位置との間で移動する安全ロック部材と、
を有する。
【００１１】
更に、例えば、
前記第１ピンは，前記支柱部材の前記第１ピン側の壁部に設けられた第１孔を挿通しており、
前記第２ピンは、前記支柱部材の前記第２ピン側の壁部に設けられた第２孔を挿通しており、
前記第１ピン及び前記第２ピンが夫々前記第１孔及び前記第２孔を挿通することにより、前記連結部材が前記支柱部材に係止されていることが好ましい。
【図面の簡単な説明】
【００１２】
【図１】本発明の実施形態に係るベッド用サイドレールを示す正面図である。
【図２】同じくその外観図である。
【図３】同じくその外観斜視図である。
【図４】本発明の他の実施形態に係るベッド用サイドレールを示す図である。
【図５】同じくその骨格構造を示す図であり、アームが本体と同一面上にある場合の図である。
【図６】同じくその骨格構造を示す図であり、アームが本体に対して回動した状態を示す図である。
【図７】第２ピン１２の近傍を示す斜視図である。
【図８】第１ピン１１の近傍を示す斜視図である。
【発明を実施するための形態】
【００１３】
以下、本発明の実施形態について、添付の図面を参照して具体的に説明する。図１乃至図３は、本発明の実施形態に係るベッド用サイドレール１を示す。このサイドレール１は、ベッドの側部に配置され、ベッドの長手方向に延びる本体フレーム２を有する。この本体フレーム２には、本体フレーム２に垂直で下方に延びる１対の支柱部材３，４が固定されている。支柱部材３，４は、筒状をなし、本体フレーム２と別体成形されて本体フレーム２に溶接等により固定されていても良いし、又は、本体フレーム２と一体成形されていても良い。
【００１４】
固定部材５，６は、棒状をなし、筒状のものを使用すれば、軽量化が可能であるが、中実状であっても良い。この棒状の固定部材５，６は、夫々、支柱部材３，４の下半部に、支柱部材３，４にほぼ同軸的に挿入され、揺動軸７，８により、支柱部材３，４に対して若干の揺動が可能に軸支されている。即ち、固定部材５，６は夫々支柱部材３，４に遊嵌され、若干の揺動が可能である。この揺動軸７，８は、支柱部材３，４に垂直であり、かつ、本体フレーム２にも垂直である。よって、この揺動軸７，８に軸支された固定部材５，６は、本体フレーム２及び１対の支柱部材３，４を含む面内において、揺動する。
【００１５】
固定部材５，６は、その上下方向（長手方向）のほぼ中間部で、揺動軸７，８により軸支されており、揺動軸７，８は、支柱部材３，４の下端近傍に配置されている。このため、固定部材５，６は、そのほぼ上半部５ａ、６ａが支柱部材３，４内に挿入されており、そのほぼ下半部５ｂ、６ｂが支柱部材３，４から露出している。なお、固定部材５，６の下半部５ｂ、６ｂの上部に、固定部材５，６より若干大径の係止部５ｃ、６ｃが設けられている。ベッドの側部には、ベッドの長手方向に離隔して１対の筒状の支持部１００，１０１が設けられており、固定部材５，６の下半部５ｂ、６ｂを、夫々支持部１００，１０１に挿入することにより、サイドレール１が、ベッドの側部に立設されるようになっている。このとき、固定部材５，６の中間部の係止部５ｃ、６ｃが支持部１００，１０１の上端に係止されて、固定部材５，６が支持部１００，１０１内に深く入り込むことがないようになっている。
【００１６】
１対の支柱部材３，４は、本体フレーム２と平行の連結部材１０により連結されている。この連結部材１０は、その両端部に、夫々支柱部材３，４を取り囲む係合部２０，２１が設けられている。この係合部２０，２１における固定部材５，６の対向方向の反対側の位置には、夫々第２ピン１２及び第１ピン１１が配置されている。第１ピン１１は、連結部材１０の係合部２１における固定部材対向方向の反対側の位置、即ち、連結部材１０の端部側の位置に、固定部材６の上半部６ａに向けて突出するように設けられている。この第１ピン１１は、係合部２１に固定されているが、筒状の支柱部材４の壁部に設けられた孔（図示せず）を挿通して、支持部材４内に突入している。また、第２ピン１２は、螺棒であり、係合部２０における固定部材対向方向の反対側の外面位置、即ち、連結部材１０の端部側の位置に、ナット１３が固定されており、このナット１３に螺棒の第２ピン１２が螺合している。この第２ピン１２は、固定ノブ１４を握持してナット１３にねじ込むことにより、支柱部材３に設けられた孔（図示せず）を挿通して、支持部材４内に進入することができる。即ち、第２ピン１２は固定ノブ１４を正逆回転することにより、係合部３０に固定されたナット１３に螺合して、支柱部材３内に進出し、支柱部材３から退避することができる。
【００１７】
連結部材１０は、第１ピン１１が支柱部材４の孔を挿通し、第２ピン１２が支柱部材３の孔を挿通して、夫々、支柱部材４，３内に進入しているので、連結部材１０は、この第１ピン１１及び第２ピン１２が夫々支柱部材４，３の孔に挿通することにより、支柱部材３，４に係止されている。
【００１８】
第１ピン１１は、連結部材１０の係合部２１に固定されていて、連結部材１０が他方の係合部２０側に移動すると、第１ピン１１は、固定部材６の上半部６ａの上部に当接する。一方、第２ピン１２は、連結部材１０の係合部２０に固定されたナット１３に螺合していて、第２ピン１２のネジ回転により第２ピン１２が第１ピン１１側に向けて移動すると、第２ピン１２は、固定部材５の上半部５ａの上部に当接する。
【００１９】
次に、上述のごとく構成されたベッド用サイドレールの動作について説明する。先ず、固定部材５，６の下半部５ｂ、６ｂを、ベッドサイドの支持部１００，１０１に挿入する。次いで、固定ノブ１４を時計方向に回転させて、螺棒の第２ピン１２をナット１３にねじ込み、第２ピン１２を固定部材５の上半部５ａに向けて進出させる。そうすると、第２２ピン１２は固定部材５の上半部５ａに当接し、更に、この上半部５ａを固定部材６に向けて押し込む。これにより、固定部材５が揺動軸７の周りに揺動して、固定部材５の下半部５ｂが支持部１００の図１における矢印側に移動し、支持部１００に当接する。その後、更に第２ピン１２を固定部材６側に進出させると、固定部材５の下半部５ａが支持部１００に当接して固定部材５が傾斜した状態が維持されると共に、この状態で，連結部材１０が第２ピン１２の進出に対する反力で、第２ピン１２側に移動する。即ち、第２ピン１２が進出すると、連結部材１０が第２ピン１２の進出方向に反対側に移動する。
【００２０】
これにより、連結部材１０の係合部２１に固定された第１ピン１１は、固定部材６に向けて移動して、固定部材６の上半部６ａに当接する。更に、第２ピン１２のネジ回転により第２ピン１２が進出すると、第１ピン１１は、固体部材６の上半部６ａを押圧し、固定部材６を揺動軸８の周りに、上半部６ａが固定部材５側になるように揺動させる。これにより、固定部材６は上半部６ａが固定部材５側になり、下半部６ｂが固定部材５から離れる方向に傾斜する。このようにして、図１に矢印にて示すように、１対の固定部材５、６は、上端が接近し、下端が離隔して、ハ字状に傾斜する。連結部材１０を介して、固定部材５，６に作用する応力は均一であるので、当初、第２ピン１２が固定部材５に当接して固定部材５が最大角度で傾斜していても、第１ピン１１が固定部材６に当接するようになると、第１ピン１１及び第２ピン１２から固定部材６，５に作用する応力が同一であるため、固定部材６，５は同一角度で傾斜しようとする。このため、固定部材５はその垂直からの傾斜角度が小さくなるように若干戻され、固定部材６の傾斜角度と、固定部材５の傾斜角度とが同一になった状態で、固定部材６，５の下端が支持部１０１，１００に当接する。両固定部材５，６が支持部１００，１０１に当接すると、それ以上、第２ピン１２をねじ込んでも、第２ピン１２は進出移動しなくなる。このようにして、固定部材５，６の下端を相反する方向に移動させることにより、この固定部材５，６の下端が支持部１００，１０１の内面に当接し、一定の応力が固定部材５，６から支持部１００，１０１の内面に作用するので、固定部材５，６は、支持部１００，１０１に摩擦係合する。これにより、サイドレール１をベッドサイドの支持部１００，１０１に固定することができる。
【００２１】
本発明においては、固定ノブ１４を回動させるだけで、つまり、片方の手の操作だけで、サイドレール１をベッドサイドの支持部１００，１０１に固定することができ、この取付作業時に、サイドレール１が傾斜して取り付けられてしまうことがなく、極めて、簡便かつ迅速にサイドレールをベッドサイドに取り付けることができる。このサイドレールをベッドサイドから取り外す場合も、同様に、固定ノブ１４を逆に回動させるだけで、容易に固定部材５，６を支持部１００，１０１から抜き取ることができるので、取り外しも、片手操作で、容易且つ迅速に行うことができる。
【００２２】
上記実施形態は、サイドレール１が、本体フレーム２及び支柱部材３，４から構成されているが、本発明はこれに限らず、図４乃至図８に示すように、サイドレール本体１１０に対して回動するアームを備えたサイドレールにも適用可能である。
【００２３】
図４に示す実施形態のサイドレール１においては、サイドレール本体１１０と、アーム４０とが、連結部３０を介して連結されている。サイドレール本体１１０は、図１乃至３に示すサイドレール１の上部に、固定されており、ベッドの寝台面から上方に大きく突出している。サイドレール１の本体フレーム２及び支柱部材３，４の部分は、カバー２５により覆われている。そして、サイドレール本体１１０には、そのベッド長手方向の端部に、連結部３０を介して、アーム４０が、垂直方向を回転軸として回転可能に連結されている。
【００２４】
また、サイドレール１の固定部材５，６を支持部１００，１０１に挿入することにより、図１乃至図３の実施形態と同様に、サイドレール１がベッド側部に立設されるようになっている。連結部３０においては、安全ロック部材３５を上方にスライド移動させた状態で、ロック解除レバー３４を握ることにより、アーム４０のロックの解除が可能になっている。即ち、安全ロック部材３５が下方に位置しているときは、ロック解除レバー３４は安全ロック部材３５から離隔した状態に位置しており、安全ロック部材３５を上方に移動させると、ロック解除レバー３４を安全ロック部材３５に向けて傾動させることが可能になる。つまり、安全ロック部材３５を上方にスライドさせると、ロック解除レバー３４を握ることにより、ロック解除レバー３４が傾動して、アーム４０の回転が可能になる。ロック解除レバー３４が安全ロック部材３５から離隔した位置にあるときには、図５及び図６に示すように、アーム４０はその位置に固定される。図５は、サイドフレーム本体１１０とアーム４０とが同一面上にある場合、図６は、サイドフレーム本体１１０に対して、アーム４０が４５°程度回転した場合である。なお、図５及び図６は、アーム４０の骨組み構造を示し、図４は、この骨組みをカバー４１で覆った状態を示す。製品においては、サイドフレーム本体１１０及びアーム４０は、カバー２５，４１で覆われる。
【００２５】
本実施形態においては、サイドレール本体１１０が、ベッドの側部に大面積で立設されるので、ベッド上の患者の安全を十分に図ることができると共に、アーム４０がサイドレール本体１１０に対して回転可能であるので、ベッド上の患者が、ベッド上に乗り降りするときに、このアーム４０を図６に示すように回動させることにより、乗り降りしやすいようになっている。そして、本実施形態においても、サイドレール１の固定部材５，６を、ベッドの側部に固定された支持部１００，１０１に挿入し、固定ノブ１４を回して、第２ピン１２を進出させることにより、固定部材５，６を支持部１００，１０１に摩擦係合させて、サイドレール１を支持部１００，１０１に固定することができる。
【符号の説明】
【００２６】
１：ベッド用サイドレール
２：本体フレーム
３，４：支柱部材
５，６：固定部材
５ａ、６ａ：上半部
５ｂ、６ｂ：下半部
１１：第１ピン
１２：第２ピン
１３：ナット
１４：固定ノブ
２５，４１：カバー
３０：連結部
４０：アーム
１００，１０１：支持部
１１０：サイドレール本体
【図１】
2015226718.tif 000003
【図２】
2015226718.tif 000004
【図３】
2015226718.tif 000005
【図４】
2015226718.tif 000006
【図５】
2015226718.tif 000007
【図６】
2015226718.tif 000008
【図７】
2015226718.tif 000009
【図８】
2015226718.tif 000010